(57)【要約】  【課題】  線材その他の束ねることが可能な長い部材を束ねたときその長い部材の軸方向へずれる可能性を低くする。【解決手段】  結束具２０は、帯状部７０およびセレーション７４を有するバンド部３０と、バックル部３４とを備える。セレーション７４は帯状部７０に設けられている。バックル部３４は、バンド部３０の一端に設けられる。バンド部３０は、側壁部７２をさらに備える。側壁部７２は、セレーション７４に沿うように帯状部７０に設けられている。側壁部７２は、バンド部３０の他端側におけるセレーション７４の端からバックル部３４までの区間に設けられている。側壁部７２の帯状部７０からの高さが、セレーション７４の帯状部７０からの高さより低い。【選択図】      図１
2012116552.tif 000002
【特許請求の範囲】
【請求項１】
帯状部および前記帯状部に設けられているセレーションを有するバンド部と、
前記バンド部の一端に設けられ、前記バンド部の他端が貫通するバンド貫通孔を有する、バックル部とを備え、
前記バンド貫通孔の内周面に、前記バンド貫通孔をいったん貫通した前記バンド部が前記バンド貫通孔から抜けることを前記セレーションとかみ合うことにより防止するバンド抜止爪が設けられている結束具において、
前記バンド部が、前記セレーションに沿うように前記帯状部に設けられている側壁部をさらに有しており、
前記側壁部は、前記バンド部の他端側における前記セレーションの端から前記バックル部までの区間に立っており、
前記側壁部の前記帯状部からの高さが、前記セレーションの前記帯状部からの高さより低いことを特徴とする、結束具。
【請求項２】
前記側壁部が、前記セレーションとの間に隙間があるよう配置されていることを特徴とする、請求項１に記載の結束具。
【発明の詳細な説明】
【技術分野】
【０００１】
本発明は、線材その他の束ねることが可能な長い部材を束ねたときその長い部材の軸方向へずれる可能性を低くできる結束具に関するものである。
【背景技術】
【０００２】
ワイヤハーネスその他線材を束ねることは広く行われている。線材だけでなく、長い部材はしばしば束ねられる。
【０００３】
長い部材を束ねる物として最も周知なものの１つは紐である。紐を用いて長い部材を束ねるとき、その紐をきつく縛っておかないと、その紐は長い部材の軸方向へ自由に移動できる状態となってしまう。
【０００４】
この問題を解決するため、特許文献１ないし特許文献５は、次に述べる結束具を開示する。その結束具は、バンドと、筒形部とを備える。筒形部はバンドの一端に設けられている。筒形部には孔が設けられている。その孔の内周面には爪が設けられている。筒形部の孔をバンドが貫通する。そうすると爪がバンド表面の歯とかみ合う。バンド表面の歯と爪とがかみ合うと、バンドは筒形部の孔から抜けなくなる。このバンドの表面のうち長い部材を束ねたとき内周面となる側の表面に、突起が設けられている。この突起は、結束具が長い部材を束ねたとき、その長い部材の表面に押付けられる。これにより、長い部材の表面と突起との間の摩擦力によって、結束具は移動し難くなる。そのため、紐ほどきつく縛るための労力をかけなくても、結束具が移動しないように長い部材を束ねることが可能になる。
【先行技術文献】
【特許文献】
【０００５】
【特許文献１】実開昭５９  −１３６００９号公報
【特許文献２】実開昭６２  −  ５８３６１号公報
【特許文献３】特開平７    −２７９９１１号公報
【特許文献４】実開平５    −  ７７０５７号公報
【特許文献５】特開２０００−２２６０４３号公報
【発明の概要】
【発明が解決しようとする課題】
【０００６】
しかしながら、特許文献１ないし特許文献５に開示された発明には、結束具が移動する可能性を低くすることについて改善の余地がある。
【０００７】
本発明の目的は、線材その他の束ねることが可能な長い部材を束ねたときその長い部材の軸方向へずれる可能性を低くできる結束具を提供することにある。
【課題を解決するための手段】
【０００８】
上記目的を達成するために、本発明のある局面に従うと、結束具２０は、バンド部３０と、バックル部３４とを備える。バンド部３０は帯状部７０およびセレーション７４を有する。セレーション７４は帯状部７０に設けられている。バックル部３４は、バンド部３０の一端に設けられる。バックル部３４は、バンド貫通孔４０を有する。バンド貫通孔４０をバンド部３０の他端が貫通する。バンド貫通孔４０の内周面に、バンド抜止爪４２が設けられている。バンド抜止爪４２は、バンド貫通孔４０をいったん貫通したバンド部３０がバンド貫通孔４０から抜けることをセレーション７４とかみ合うことにより防止する。バンド部３０は、側壁部７２をさらに備える。側壁部７２は、セレーション７４に沿うように帯状部７０に設けられている。側壁部７２は、バンド部３０の他端側におけるセレーション７４の端からバックル部３４までの区間に設けられている。側壁部７２の帯状部７０からの高さが、セレーション７４の帯状部７０からの高さより低い。
【０００９】
線材その他の束ねることが可能な長い部材１００を結束具２０で束ねるとき、セレーション７４のうちバンド部３０の他端に近い部分はバンド抜止爪４２とかみ合う。セレーション７４のうちバンド抜止爪４２とかみ合っている部分よりバンド部３０の一端側の部分は上述した長い部材１００の間およびその表面に食い込む。つまり、セレーション７４はバックル部３４からの抜け止め機能と結束具２０の横滑り防止機能とを有する。このとき、側壁部７２は、バンド部３０の他端側におけるセレーション７４の端からバックル部３４までの区間に設けられている。しかも側壁部７２はセレーション７４に沿うように帯状部７０に設けられている。つまり多数の長い部材１００を結束具２０で束ねるとき、側壁部７２は長い部材１００の束を取囲む。側壁部７２が長い部材１００の束を取囲んでいない区間はない。このため、側壁部７２が長い部材１００の束を取囲んでいない区間がある場合に比べて、バンド部３０の機械的強度は強くなる。機械的強度が強くなるので、側壁部７２が長い部材１００の束を取囲んでいない区間がある場合に比べて、バンド部３０を強い力で引締めることが可能になる。その上、側壁部７２の帯状部７０からの高さが、セレーション７４の帯状部７０からの高さより低い。そのため、側壁部７２は、長い部材１００の間およびその表面にセレーション７４が食い込むことを妨げない。側壁部７２に妨げられないので、セレーション７４は長い部材１００の間およびその表面に十分食い込むことができる。その結果、上述した長い部材１００の軸方向へ結束具２０が移動する可能性を低くできる。
【００１０】
また、上述した側壁部７２が、セレーション７４との間に隙間があるよう配置されていることが望ましい。
【００１１】
上述した長い部材１００の束をバンド部３０で束ねると、側壁部７２のうち帯状部７０との付け根から見て先端にあたる部分が圧縮されることになる。側壁部７２とセレーション７４との間に隙間があると、側壁部７２のうち帯状部７０との付け根から見て先端にあたる部分が圧縮される際、側壁部７２とセレーション７４とが一体化している場合に比べ、その先端にあたる部分が屈曲しやすくなる。その先端にあたる部分が屈曲しやすくなるので、側壁部７２とセレーション７４とが一体化している場合に比べ、その先端にあたる部分がセレーション７４の食い込みを妨げにくくなる。その結果、側壁部７２とセレーション７４とが一体化している場合に比べ、上述した長い部材１００を束ねたときその長い部材１００の軸方向へ結束具２０がずれる可能性を低くできる。
【発明の効果】
【００１２】
本発明によれば、線材その他の束ねることが可能な長い部材を束ねたときその長い部材の軸方向へずれる可能性を低くできる、結束具を提供できる。
【図面の簡単な説明】
【００１３】
【図１】本発明の一実施例にかかる結束具の斜視図である。
【図２】本発明の一実施例にかかるバンド部の断面図である。
【図３】本発明の一実施例にかかるバックル部付近の断面図である。
【図４】本発明の一実施例にかかる結束具が電線を束ねているときの断面図である。
【発明を実施するための形態】
【００１４】
以下、図面を参照しつつ、本発明の実施例について説明する。以下の説明では、同一の部品には同一の符号を付してある。それらの名称および機能も同一である。したがって、それらについての詳細な説明は繰返さない。
【００１５】
［結束具の構成］
図１は、本実施例にかかる結束具２０の斜視図である。図２は、本実施例にかかるバンド部３０の断面図である。図１と図２とを参照しつつ、本実施例にかかる結束具２０の構成を説明する。
【００１６】
本実施例にかかる結束具２０は、バンド部３０と、バックル部３４とを備える。バンド部３０は、線材その他の長い部材を束ねるためのものである。バックル部３４は、バンド部３０の一端に設けられている。バンド部３０が上述した長い部材を束ねるとき、バックル部３４をバンド部３０の他端すなわちバンド部３０の先端が貫通する。本実施例の場合、バンド部３０とバックル部３４とは一体になっている。本実施例にかかる結束具２０は樹脂製である。
【００１７】
［バンド部の構成］
本実施例にかかるバンド部３０は、帯状部７０と、側壁部７２と、セレーション７４とを有する。帯状部７０は、上述した長い部材を束ねる際、引締められる。これにより、帯状部７０は、その長い部材を締め付ける。図１および図２に示すとおり、側壁部７２は、セレーション７４に沿うように帯状部７０に設けられている。また、図１に示すとおり、側壁部７２は、バンド部３０の他端側におけるセレーション７４の端からバックル部３４までの区間に設けられている。側壁部７２は、帯状部７０と一体となっている。このため、バンド部３０の断面はカタカナでいう「コ」字型となっている。セレーション７４も、帯状部７０に設けられている。本実施例において「セレーション」とは歯が並ぶことで列となっているものを意味する。セレーション７４を構成する１つ１つの歯は、後述する歯型部５０を構成する１つ１つの歯とかみ合う。図２から明らかな通り、セレーション７４は側壁部７２より高い。つまり、側壁部７２の帯状部７０からの高さが、セレーション７４を構成する歯の帯状部７０からの高さより低い。
【００１８】
［バックル部の構成］
図３は、本実施例にかかるバックル部３４付近の断面図である。上述した図１と図３とを参照しつつ、本実施例にかかるバックル部３４の構成を説明する。本実施例にかかるバックル部３４は、バンド貫通孔４０を有している。バンド貫通孔４０の内周面にバンド抜止爪４２が設けられている。バンド抜止爪４２は歯型部５０を有する。歯型部５０は複数の歯によって構成されている。バンド貫通孔４０に挿入されたセレーション７４を構成する１つ１つの歯は、この歯型部５０を構成する１つ１つの歯にかみあって抜けなくなる。
【００１９】
［結束具の使用方法］
以下、多数の電線１００を束ねる場合の、本実施例にかかる結束具２０の使用方法を説明する。
【００２０】
まず、電線１００の束に結束具２０のバンド部３０を巻付ける。バンド部３０を巻付けたら、バンド部３０の先端をバックル部３４のバンド貫通孔４０に挿入する。バンド部３０の先端がバンド貫通孔４０を貫通すると、セレーション７４を構成する１つ１つの歯にバンド抜止爪４２の歯型部５０を構成する１つ１つの歯がかみ合う。これにより、バンド部３０はバンド貫通孔４０から抜けなくなる。
【００２１】
この状態で、バンド部３０の先端をさらに引くと、電線１００の束は次第に締め付けられる。このとき、セレーション７４を構成する１つ１つの歯は電線１００の間および電線１００の表面に食い込んでいく。
【００２２】
セレーション７４を構成する１つ１つの歯が電線１００の間および電線１００の表面に食い込むと、バンド部３０の先端をさらに引くことによって電線１００の束をしっかりと締め付ける。その後、バンド部３０のうちバックル部３４から突出している部分を切り取る。これで結束具２０による結束が完了する。
【００２３】
［本実施例にかかる結束具の効果］
図４は本実施例にかかる結束具２０が多数の電線１００を束ねているときの結束具２０の断面図である。図４を参照しつつ、本実施例にかかる結束具２０の効果を説明する。多数の電線１００を結束具２０で締め付けるとき、セレーション７４を構成する歯のうちバンド部３０の先端に近いものはバンド抜止爪４２の歯型部５０を構成する歯とかみ合う。セレーション７４を構成する歯のうち電線１００を取囲んでいるものは電線１００の間および電線１００の表面に食い込む。つまり、セレーション７４はバックル部３４からの抜け止め機能と結束具２０の横滑り防止機能とを有する。このとき、側壁部７２は、バンド部３０の先端側におけるセレーション７４の端からバックル部３４までの区間に設けられている。つまり多数の電線１００を結束具２０で束ねるとき、側壁部７２は電線１００の束を取囲む。側壁部７２が電線１００の束を取囲んでいない区間はない。このため、側壁部７２が電線１００の束を取囲んでいない区間がある場合に比べて、バンド部３０の機械的強度は強くなる。機械的強度が強くなるので、側壁部７２が電線１００の束を取囲んでいない区間がある場合に比べて、バンド部３０を強い力で引締めることが可能になる。その上、側壁部７２の帯状部７０からの高さが、セレーション７４の帯状部７０からの高さより低い。そのため、側壁部７２は、電線１００の間およびその表面にセレーション７４が食い込むことを妨げない。側壁部７２に妨げられないので、セレーション７４は電線１００の間およびその表面に十分食い込むことができる。その結果、電線１００の軸方向へ移動する可能性を低くできる。
【００２４】
また、側壁部７２とセレーション７４との間に隙間があると、電線１００の束をバンド部３０で束ねる際、側壁部７２とセレーション７４との間に隙間がなく一体化している場合に比べ、側壁部７２の先端にあたる部分が屈曲しやすくなる。その先端にあたる部分が屈曲しやすくなるので、その先端にあたる部分がセレーション７４の食い込みを妨げにくくなる。
【００２５】
なお、今回開示された実施例はすべての点で例示である。本発明の範囲は上述した実施例に基づいて制限されるものではなく、本発明の趣旨を逸脱しない範囲で種々の設計変更をしてもよいのはもちろんである。
【００２６】
例えば、結束具２０は樹脂製で一体となっているものに限定されない。結束具２０は、それを構成する各部分が別々に製作され互いに接続されたものであってもよい。
【符号の説明】
【００２７】
２０…結束具
３０…バンド部
３４…バックル部
４０…バンド貫通孔
４２…バンド抜止爪
５０…歯型部
７０…帯状部
７２…側壁部
７４…セレーション
１００…電線
【図１】
2012116552.tif 000003
【図２】
2012116552.tif 000004
【図３】
2012116552.tif 000005
【図４】
2012116552.tif 000006